(57)【要約】【課題】比較的大きな幅の左右揺動及び前後揺動を有することができ、複合運動した際に、ファンヘッド本体が周囲の空間に対する全方位送風を実現し、周辺空気の環状流を形成して、室内空気の快適性を高めることができる、全方位首振りコンポーネント及びそのファンを提供する。【解決手段】首振り支持ベースコンポーネント１００は、ファンヘッド本体コンポーネント２００が水平面内において予め設定された角度の左右首振り運動を行うように従動させることができ、ファンヘッド本体コンポーネント２００は、首振り支持ベースコンポーネント１００上方の水平軸線周りで垂直面内において予め設定された角度の前後首振り運動を行う。【選択図】図１
2019127942.tif 000002
【特許請求の範囲】
【請求項１】
首振り支持ベースコンポーネント及び首振り支持ベース内に取り付けられるファンヘッド本体コンポーネントを含む全方位首振りコンポーネントであって、前記首振り支持ベースコンポーネントは、前記ファンヘッド本体コンポーネントが水平面内において予め設定された角度の左右首振り運動を行うように従動させることができ、前記ファンヘッド本体コンポーネントは、前記首振り支持ベースコンポーネント上方の水平軸線周りで垂直面内において予め設定された角度の前後首振り運動を行うことができ、前記ファンヘッド本体コンポーネント内に信号を受けて指令を発するためのファンヘッド電子板アセンブリが設けられることを特徴とする全方位首振りコンポーネント。
【請求項２】
前記首振り支持ベースコンポーネントは、首振りブラケット、中心軸、第１ブラシレス直流モータ、左右首振り歯車及び第１小歯車を含み、前記首振りブラケットは、略Ｕ字形構造を呈し、左側板、右側板及び下底板を含み、前記下底板の下表面に左右首振り歯車及びそれに噛合する第１小歯車が設けられ、前記中心軸は前記左右首振り歯車内に嵌設され、前記第１ブラシレス直流モータは前記首振りブラケット下底板の上方に設けられ、前記第１ブラシレス直流モータは、第１小歯車に接続され、前記第１小歯車が前記左右首振り歯車周りで前記中心軸を軸線として、前記左右首振り歯車のリングギヤに沿って公転運動するように駆動し、前記第１ブラシレス直流モータは、同時に前記ファンヘッド電子板アセンブリに接続され、前記ファンヘッド電子板アセンブリが発した指令を受信して首振り支持ベースコンポーネントを逆向きに運動させることを特徴とする請求項１に記載の全方位首振りコンポーネント。
【請求項３】
前記首振り支持ベースコンポーネントは、左右首振り位置制限機構を更に含み、前記左右首振り位置制限機構は、左右首振り位置制限ボス及びそれに嵌合する左右首振り位置制限リブを含み、前記左右首振り位置制限ボスは前記首振りブラケット下底板の下表面に固定され、前記左右首振り位置制限リブは少なくとも１つであり、前記左右首振り歯車のリング溝内に設けられ、前記左右首振り位置制限ボスが前記左右首振り位置制限リブに当接すると、前記ファンヘッド電子板アセンブリが信号を受けて首振り支持ベースコンポーネントを逆向きに運動させる指令を発することを特徴とする請求項２に記載の全方位首振りコンポーネント。
【請求項４】
前記首振り支持ベースコンポーネントは、首振りブラケットカバーを更に含み、前記首振りブラケットカバーは前記首振りブラケットの外側壁を被覆することを特徴とする請求項２または３に記載の全方位首振りコンポーネント。
【請求項５】
前記ファンヘッド電子板アセンブリは、前記首振り支持ベースコンポーネントに従動して前記ファンヘッド本体コンポーネントが水平面内において角度６０°、１２０°または１８０°の左右首振り運動を行うように制御することを特徴とする請求項１〜４のいずれかに記載の全方位首振りコンポーネント。
【請求項６】
前記ファンヘッド本体コンポーネントは、モータブラケット、水平回転軸、第２ブラシレス直流モータ、前後首振り歯車及び第２小歯車を含み、前記モータブラケットは、略Ｕ字形構造を呈し、左側板、右側板及び下底板を含み、前記左側板または右側板の外側壁に前後首振り歯車及びそれに噛合する第２小歯車が設けられ、前記水平回転軸は前記前後首振り歯車内に嵌設され、前記第２ブラシレス直流モータは前記モータブラケット下底板の上方に設けられ、前記第２ブラシレス直流モータは、第２小歯車に接続され、前記第２小歯車が前記水平回転軸を軸線としてその周りで、前記前後首振り歯車のリングギヤに沿って公転運動するように駆動し、前記第２ブラシレス直流モータは、同時に前記ファンヘッド電子板アセンブリに接続され、前記ファンヘッド電子板アセンブリが発した指令を受信してファンヘッド本体コンポーネントを逆向きに運動させることを特徴とする請求項１〜５のいずれかに記載の全方位首振りコンポーネント。
【請求項７】
前記ファンヘッド本体コンポーネントは、前後首振り位置制限機構を更に含み、前記前後首振り位置制限機構は、前後首振り位置制限ボス及びそれに嵌合する前後首振り位置制限リブを含み、前記前後首振り位置制限ボスは前記モータブラケット左側板または右側板の外側壁に固定され、前記前後首振り位置制限リブは少なくとも１つであり、前記前後首振り歯車のリング溝内に設けられ、前記前後首振り位置制限ボスが前記前後首振り位置制限リブに当接すると、前記ファンヘッド電子板アセンブリが信号を受けてファンヘッド本体コンポーネントを逆向きに運動させる指令を発することを特徴とする請求項６に記載の全方位首振りコンポーネント。
【請求項８】
前記ファンヘッド本体コンポーネントは、ファンヘッドモータカバーを更に含み、前記ファンヘッドモータカバーは前記モータブラケットの外側壁を被覆することを特徴とする請求項６または７に記載の全方位首振りコンポーネント。
【請求項９】
前記ファンヘッド電子板アセンブリは、前記ファンヘッド本体コンポーネントが垂直面内において角度８０°または１６０°の前後首振り運動を行うように制御することを特徴とする請求項１〜８のいずれかに記載の全方位首振りコンポーネント。
【請求項１０】
請求項１〜９のいずれかに記載の全方位首振りコンポーネントを含むことを特徴とするファン。
【発明の詳細な説明】
【技術分野】
【０００１】
本発明は全方位首振りコンポーネント及びそのファンに関するものであり、特に比較的大きな幅の左右揺動及び前後揺動を有することが可能なファンに関するものである。
【背景技術】
【０００２】
ファンとは、暑い日に風を起こして涼を取る用具を指している。扇風機は、電気駆動により気流を発生させる装置であり、内部に配置された羽根が通電後に回動して自然風を起こして涼を取る効果を達成する。
【０００３】
目下のところ、現在のスタンド扇風機は、その首振り揺動範囲が比較的小さく、それが左右及び上下複合運動する場合、ファンヘッドの空間運動軌跡はファンヘッド本体の前方及び上方の空間に限られる。従ってその送風方式の室内空気に対する撹拌力も非常に限定的であり、室内空気に対して環状流の作用を形成することができない。現在の人々の生活の向上に伴い、人々のリビングルーム、寝室の環境品質に対する要求も高まっており、低騒音で室内空気に対して環状流を形成可能な新型ファンにより、室内空調環境の快適性を更に高めることが所望されている。
【０００４】
従って、比較的大きな幅の左右揺動及び前後揺動を有することができ、複合運動した際に、ファンヘッド本体が周囲の空間に対する全方位送風を実現し、周辺空気の環状流を形成して、室内空気の快適性を高めることができる、全方位首振りコンポーネント及びそのファンを提供することが当業者の急務となっている。
【発明の概要】
【発明が解決しようとする課題】
【０００５】
本発明の目的は、比較的大きな幅の左右揺動及び前後揺動を有することができ、複合運動した際に、ファンヘッド本体が周囲の空間に対する全方位送風を実現し、周辺空気の環状流を形成して、室内空気の快適性を高めることができる、全方位首振りコンポーネント及びそのファンを提供することにある。
【課題を解決するための手段】
【０００６】
上記目的を実現するため、本発明では、首振り支持ベースコンポーネント及び首振り支持ベース内に取り付けられるファンヘッド本体コンポーネントを含む全方位首振りコンポーネントが提供されており、前記首振り支持ベースコンポーネントは、前記ファンヘッド本体コンポーネントが水平面内において予め設定された角度の左右首振り運動を行うように従動させることができ、前記ファンヘッド本体コンポーネントは、前記首振り支持ベースコンポーネント上方の水平軸線周りで垂直面内において予め設定された角度の前後首振り運動を行うことができ、前記ファンヘッド本体コンポーネント内に信号を受信して指令を発するためのファンヘッド電子板アセンブリが設けられる。
【０００７】
好適には、前記首振り支持ベースコンポーネントは、首振りブラケット、中心軸、第１ブラシレス直流モータ、左右首振り歯車及び第１小歯車を含み、前記首振りブラケットは、略Ｕ字形構造を呈し、左側板、右側板及び下底板を含み、前記下底板の下表面に左右首振り歯車及びそれに噛合する第１小歯車が設けられ、前記中心軸は前記左右首振り歯車内に嵌設され、前記第１ブラシレス直流モータは前記首振りブラケット下底板の上方に設けられ、前記第１ブラシレス直流モータは、第１小歯車に接続され、前記第１小歯車が前記左右首振り歯車周りで前記中心軸を軸線として、前記左右首振り歯車のリングギヤに沿って公転運動するように駆動し、前記第１ブラシレス直流モータは、同時に前記ファンヘッド電子板アセンブリに接続され、前記ファンヘッド電子板アセンブリが発した指令を受信して首振り支持ベースコンポーネントを逆向きに運動させる。
【０００８】
好適には、前記首振り支持ベースコンポーネントは、左右首振り位置制限機構を更に含み、前記左右首振り位置制限機構は、左右首振り位置制限ボス及びそれに嵌合する左右首振り位置制限リブを含み、前記左右首振り位置制限ボスは前記首振りブラケット下底板の下表面に固定され、前記左右首振り位置制限リブは少なくとも１つであり、前記左右首振り歯車のリング溝内に設けられ、前記左右首振り位置制限ボスが前記左右首振り位置制限リブに当接すると、前記ファンヘッド電子板アセンブリが信号を受けて首振り支持ベースコンポーネントを逆向きに運動させる指令を発する。
【０００９】
好適には、前記首振り支持ベースコンポーネントは、首振りブラケットカバーを更に含み、前記首振りブラケットカバーは前記首振りブラケットの外側壁を被覆する。
【００１０】
好適には、前記ファンヘッド電子板アセンブリは、前記首振り支持ベースコンポーネントに従動して前記ファンヘッド本体コンポーネントが水平面内において角度６０°、１２０°または１８０°の左右首振り運動を行うように制御する。
【００１１】
好適には、前記ファンヘッド本体コンポーネントは、モータブラケット、水平回転軸、第２ブラシレス直流モータ、前後首振り歯車及び第２小歯車を含み、前記モータブラケットは、略Ｕ字形構造を呈し、左側板、右側板及び下底板を含み、前記左側板または右側板の外側壁に前後首振り歯車及びそれに噛合する第２小歯車が設けられ、前記水平回転軸は前記前後首振り歯車内に嵌設され、前記第２ブラシレス直流モータは前記モータブラケット下底板の上方に設けられ、前記第２ブラシレス直流モータは、第２小歯車に接続され、前記第２小歯車が前記水平回転軸を軸線としてその周りで、前記前後首振り歯車のリングギヤに沿って公転運動するように駆動し、前記第２ブラシレス直流モータは、同時に前記ファンヘッド電子板アセンブリに接続され、前記ファンヘッド電子板アセンブリが発した指令を受信してファンヘッド本体コンポーネントを逆向きに運動させる。
【００１２】
好適には、前記ファンヘッド本体コンポーネントは、前後首振り位置制限機構を更に含み、前記前後首振り位置制限機構は、前後首振り位置制限ボス及びそれに嵌合する前後首振り位置制限リブを含み、前記前後首振り位置制限ボスは前記モータブラケット左側板または右側板の外側壁に固定され、前記前後首振り位置制限リブは少なくとも１つであり、前記前後首振り歯車のリング溝内に設けられ、前記前後首振り位置制限ボスが前記前後首振り位置制限リブに当接すると、前記ファンヘッド電子板アセンブリが信号を受けてファンヘッド本体コンポーネントを逆向きに運動させる指令を発する。
【００１３】
好適には、前記ファンヘッド本体コンポーネントは、ファンヘッドモータカバーを更に含み、前記ファンヘッドモータカバーは前記モータブラケットの外側壁を被覆する。
【００１４】
好適には、前記ファンヘッド電子板アセンブリは、前記ファンヘッド本体コンポーネントが垂直面内において角度８０°または１６０°の前後首振り運動を行うように制御する。
【００１５】
本発明では、以上に記載の全方位首振りコンポーネントを含むファンが更に提供される。
【発明の効果】
【００１６】
本発明が提供する全方位首振りコンポーネント及びそのファンは、以下の利点を有している。
【００１７】
１．首振り支持ベースコンポーネントは、ファンヘッド本体コンポーネントが水平面内において左右首振り運動を行うように従動させ、ファンヘッド本体コンポーネントは、垂直面内において前後首振り運動を行うことができ、２組の揺動機構が同時に動作すると、ファンヘッド本体の前後左右の複合運動が実現され、ファンヘッド本体の運動軌跡が横向きに湾曲した大きな８の字状態を呈するとともに、水平に配置された半球面上に包括されて、３６０°全方位の送風効果が達成される。
【００１８】
２．首振り支持ベースコンポーネント及びファンヘッド本体コンポーネント各々の往復揺動及び複合運動はファンヘッド電子板アセンブリの指令を受けて動作するため、安全かつ確実で、その他の機械的な障害はない。
【図面の簡単な説明】
【００１９】
【図１】本発明における全方位首振りコンポーネントが開始位置に位置している際の立体構造概略図である。
【図２】本発明における全方位首振りコンポーネントが中間位置に位置している際の立体構造概略図である。
【図３】本発明における全方位首振りコンポーネントが終結位置に位置している際の立体構造概略図である。
【図４】本発明における全方位首振りコンポーネントが開始位置に位置している際の側面構造概略図である。
【図５】本発明における全方位首振りコンポーネントが中間位置に位置している際の側面構造概略図である。
【図６】本発明における全方位首振りコンポーネントが終結位置に位置している際の側面構造概略図である。
【図７】本発明における首振り支持ベースコンポーネントの立体構造概略図である。
【図８】本発明における首振り支持ベースコンポーネントの立体構造概略図である。
【図９】本発明における首振り支持ベースコンポーネントの立体構造概略図である。
【図１０】本発明における首振り支持ベースコンポーネントの立体構造概略図である。
【図１１】本発明における首振り支持ベースコンポーネントの立体構造概略図である。
【図１２】本発明におけるファンヘッド本体コンポーネントの立体構造概略図である。
【図１３】本発明におけるファンヘッド本体コンポーネントの立体構造概略図である。
【図１４】本発明におけるファンヘッド本体コンポーネントの立体構造概略図である。
【図１５】本発明におけるファンヘッド本体コンポーネントの立体構造概略図である。
【発明を実施するための形態】
【００２０】
当業者に本発明の技術案をより良好に理解させるため、以下においては添付図面に基づき本発明についてより詳細に紹介する。
【００２１】
図１〜図１５を参照すると、図１〜６は本発明における全方位首振りコンポーネントが開始位置から終結位置に位置している際の立体構造概略図であり、図７〜図１１は本発明における首振り支持ベースコンポーネントの立体構造概略図であり、図１２〜図１５は本発明におけるファンヘッド本体コンポーネントの立体構造概略図である。
【００２２】
図１〜図６に示されている通り、本発明が提供する全方位首振りコンポーネントは、首振り支持ベースコンポーネント１００及び首振り支持ベース内に取り付けられるファンヘッド本体コンポーネント２００を含み、首振り支持ベースコンポーネント１００は、ファンヘッド本体コンポーネント２００が水平面内において予め設定された角度の左右首振り運動を行うように従動させることができ、６０°、１２０°、１８０°の３段階の切換えが実現可能である。ファンヘッド本体コンポーネント２００は、首振り支持ベースコンポーネント１００上方の水平軸線周りで垂直面内において予め設定された角度の前後首振り運動を行うことができ、８０°、１６０°の２段階の切換えが実現可能であり、２組の揺動装置が同時に作動すると、ファンヘッド本体コンポーネント２００が前後左右２つの方向の複合運動を行い、３６０°全方位の送風効果を実現することができる。また、ファンヘッド本体コンポーネント２００内に信号を受けて指令を発するためのファンヘッド電子板アセンブリ３００が設けられる。
【００２３】
本発明が提供する全方位首振りコンポーネント及びそのファンにおいて、首振り支持ベースコンポーネント１００は、ファンヘッド本体コンポーネント２００が水平面内において左右首振り運動を行うように従動させ、ファンヘッド本体コンポーネント２００は垂直面内において前後首振り運動を行うことができ、２組の揺動機構が同時に動作すると、ファンヘッド本体コンポーネント２００の前後左右の複合運動が実現され、ファンヘッド本体コンポーネント２００の運動軌跡が横向きに湾曲した大きな８の字状態を呈するとともに、水平に配置された半球面上に包括されて、３６０°全方位の送風効果が達成される。
【００２４】
図７〜図１１に示されている通り、首振り支持ベースコンポーネント１００は、首振りブラケット１０１、中心軸１０２、第１ブラシレス直流モータ１０４、左右首振り歯車１０３及び第１小歯車１０５を含み、首振りブラケット１０１は、略Ｕ字形構造を呈し、左側板、右側板及び下底板を含み、下底板の下表面に左右首振り歯車１０３及びそれに噛合する第１小歯車１０５が設けられ、中心軸１０２は左右首振り歯車１０３内に嵌設され、第１ブラシレス直流モータ１０４は首振りブラケット１０１下底板の上方に設けられ、第１ブラシレス直流モータ１０４は第１小歯車１０５に接続され、第１小歯車１０５が左右首振り歯車１０３周りで中心軸１０２を軸線として、左右首振り歯車１０３のリングギヤに沿って公転運動するように駆動し、第１ブラシレス直流モータ１０４は、同時にファンヘッド電子板アセンブリ３００に接続され、ファンヘッド電子板アセンブリ３００が発した指令を受信して首振り支持ベースコンポーネント１００を逆向きに運動させる。
【００２５】
首振り支持ベースコンポーネント１００は、左右首振り位置制限機構を更に含み、左右首振り位置制限機構は、左右首振り位置制限ボス１０７及びそれに嵌合する左右首振り位置制限リブ１０８を含み、左右首振り位置制限ボス１０７は首振りブラケット１０１下底板の下表面に固定され、左右首振り位置制限リブ１０８は少なくとも１つであり、左右首振り歯車１０３のリング溝内に設けられ、左右首振り位置制限ボス１０７が左右首振り位置制限リブ１０８に当接すると、ファンヘッド電子板アセンブリ３００が信号を受けて首振り支持ベースコンポーネント１００を逆向きに運動させる指令を発する。
【００２６】
首振り支持ベースコンポーネント１００は、首振りブラケットカバー１０６を更に含み、首振りブラケットカバー１０６は前記首振りブラケット１０１の外側壁を被覆する。
【００２７】
本発明における首振り支持ベースコンポーネント１００の動作原理は以下の通りである。首振り支持ベースコンポーネント１００が左右に首振り運動すると、左右首振り歯車１０３は静止して動かず、第１ブラシレス直流モータ１０４が、第１小歯車１０５が左右首振り歯車１０３周りで中心軸１０２を軸線として、左右首振り歯車１０３のリングギヤに沿って公転するように駆動し、左右首振り位置制限ボス１０７が左右首振り位置制限リブ１０８に近接すると、第１ブラシレス直流モータ１０４がファンヘッド電子板アセンブリ３００の信号を受信して反転を実現し、首振り支持ベースコンポーネント１００を逆方向に向けて揺動させ、このように繰り返し往復することにより、首振り支持ベースコンポーネント１００をファンヘッド本体コンポーネント２００と共に連続して左右に揺動させる。
【００２８】
図１２〜図１５に示されている通り、本発明におけるファンヘッド本体コンポーネント２００は、モータブラケット２０１、水平回転軸２０２、第２ブラシレス直流モータ２０３、前後首振り歯車２０４及び第２小歯車２０５を含み、モータブラケット２０１は、略Ｕ字形構造を呈し、左側板、右側板及び下底板を含み、左側板または右側板の外側壁に前後首振り歯車２０４及びそれに噛合する第２小歯車２０５が設けられ、水平回転軸２０２は前後首振り歯車２０４内に嵌設され、第２ブラシレス直流モータ２０３はモータブラケット２０１下底板の上方に設けられ、第２ブラシレス直流モータ２０３は、第２小歯車２０５に接続され、第２小歯車２０５が水平回転軸２０２を軸線としてその周りで、前後首振り歯車２０４のリングギヤに沿って公転運動するように駆動し、第２ブラシレス直流モータ２０３は、同時にファンヘッド電子板アセンブリ３００に接続され、ファンヘッド電子板アセンブリ３００が発した指令を受信してファンヘッド本体コンポーネント２００を逆向きに運動させる。
【００２９】
ファンヘッド本体コンポーネント２００は、前後首振り位置制限機構を更に含み、前後首振り位置制限機構は、前後首振り位置制限ボス２０６及びそれに嵌合する前後首振り位置制限リブ２０７を含み、前後首振り位置制限ボス２０６はモータブラケット２０１左側板または右側板の外側壁に固定され、前後首振り位置制限リブ２０７は少なくとも１つであり、前後首振り歯車２０４のリング溝内に設けられ、前後首振り位置制限ボス２０６が前後首振り位置制限リブ２０７に当接すると、ファンヘッド電子板アセンブリ３００が信号を受けてファンヘッド本体コンポーネント２００を逆向きに運動させる指令を発する。
【００３０】
また、ファンヘッド本体コンポーネント２００は、ファンヘッドモータカバー２０８を更に含み、ファンヘッドモータカバー２０８はモータブラケット２０１の外側壁を被覆する。
【００３１】
本発明におけるファンヘッド本体コンポーネント２００の動作原理は以下の通りである。ファンヘッド本体コンポーネント２００が前後に揺動動作すると、前後首振り歯車２０４はモータブラケット２０１上に係止し、固定されて動かず、第２ブラシレス直流モータ２０３が、第２小歯車２０５がモータブラケット２０１の水平回転軸を軸線としてその周りで、前後首振り歯車２０４のリングギヤに沿って公転するように駆動し、モータブラケット２０１上の前後首振り位置制限ボス２０６が前後首振り位置制限リブ２０７に近接すると、第２ブラシレス直流モータ２０３がファンヘッド電子板アセンブリ３００の信号を受信して反転を実現し、ファンヘッド本体コンポーネント２００を逆方向に向けて揺動させ、このような連続して往復する過程により、ファンヘッド本体コンポーネント２００の不断の前後揺動を開始させる。
【００３２】
本発明における首振り支持ベースコンポーネント１００またはファンヘッド本体コンポーネント２００各々の往復揺動及び複合運動は、いずれもブラシレス直流モータがファンヘッド電子板アセンブリ３００の命令を受けて正逆回転することにより実現され、左右首振り位置制限リブ１０８及び前後首振り位置制限リブ２０７は、揺動異常により位置を越えることを予防するためにのみ設計された構造であり、各々の予め設定された複合運動プログラムはいずれもファンヘッド電子板アセンブリ３００内にあるとともに、ファンシャーシに取り付けられた操作制御電子板アセンブリの指令を受けて動作するため、安全かつ確実で、その他の機械的な障害はない。
【００３３】
本発明では、上記全方位首振りコンポーネントを含むファンが更に提供されており、また、シャーシ、脚部ベース、昇降ロッド、首振り支持ベースなどのその他の部品部材が更に含まれるが、ここで改めては詳述しない。
【００３４】
以上においては、図面に示されている実施例に基づき本発明の構造、特徴及び作用効果について詳細に説明しているが、以上の記載は本発明の好適な実施例に過ぎず、本発明は図面に示されているものにより実施範囲は限定されず、本発明の構想に基づき行われた改変、または同等な変化となるように修正された等価な実施例が、明細書及び図面がカバーする精神を超えていない場合は、いずれも本発明の保護範囲内にあるものとする。
【符号の説明】
【００３５】
１００  首振り支持ベースコンポーネント
１０１  首振りブラケット
１０２  中心軸
１０３  左右首振り歯車
１０４  第１ブラシレス直流モータ
１０５  第１小歯車
１０６  首振りブラケットカバー
１０７  左右首振り位置制限ボス
１０８  左右首振り位置制限リブ
２００  ファンヘッド本体コンポーネント
２０１  モータブラケット
２０２  水平回転軸
２０３  第２ブラシレス直流モータ
２０４  前後首振り歯車
２０５  第２小歯車
２０６  前後首振り位置制限ボス
２０７  前後首振り位置制限リブ
２０８  ファンヘッドモータカバー
３００  ファンヘッド電子板アセンブリ
【図１】
2019127942.tif 000003
【図２】
2019127942.tif 000004
【図３】
2019127942.tif 000005
【図４】
2019127942.tif 000006
【図５】
2019127942.tif 000007
【図６】
2019127942.tif 000008
【図７】
2019127942.tif 000009
【図８】
2019127942.tif 000010
【図９】
2019127942.tif 000011
【図１０】
2019127942.tif 000012
【図１１】
2019127942.tif 000013
【図１２】
2019127942.tif 000014
【図１３】
2019127942.tif 000015
【図１４】
2019127942.tif 000016
【図１５】
2019127942.tif 000017